(57)【要約】【課題】  物干し台の竿受け部、下部に着脱可能な竿掛部を増やす。また、風などによる揺れの障害を軽減、防止し、安定したものにする。【解決手段】  下部にフック状の掛部を左右に有する吊り掛具に於て、吊り掛具に於て、吊り掛部１ａ、１ｂの下面は竿受け部に、上面は物干し竿に適応する形状を有し、吊り掛部からなる吊り下げ部材を支軸７  にて係合する。吊り下げ部材に揺動防止ピンの挿入孔を設け、揺動防止ピン６、の使用にて前後の揺れを防止する、支軸下部に横揺れを防止する竿掛部８、９にて構成される。【選択図】  図２
2005028075.tif 000002
【特許請求の範囲】
【請求項１】
双方に掛部を有し、下部、支軸にて係合される、吊り掛具に於て、上部に位置する掛部の下面は竿受け部に、上面は物干し竿に適応する形状を有し、吊り下げられる物干し具の竿受け部、前後に双方吊り掛け、掛部上面に、物干し竿をかけて装着する、ため、掛部上面から、干し竿のかけ、外しを可能とする、下部に竿かけを左右両端に双方有する。吊り掛具。
【請求項２】
請求項１、記載の吊り掛具に、掛部上面、外側に、物干し竿の離脱を防止する、突起物を設けた吊り掛具。
【請求項３】
請求項１、２、記載の吊り掛具に、上部に位置する掛部の片方を、フック状の掛部を用い、竿受け部にかけられた、物干し竿に吊り掛け、もう一方を竿受け部にかけ掛部上面に物干し竿をかけて装着し使用する。吊り掛具。
【請求項４】
双方に掛部を有し、下部、支軸にて係合される、吊り掛具に於て、吊り下げられる物干し具の支持部が、吊り掛具左右の吊り下げ部材との間に位置し、支持部に対し、揺れにより接触障害となる揺動阻止物を、吊り下げ部材に固定することにより、風などによる前後の揺れを防止する吊り掛具。または、請求項１、２、３、記載の吊り掛具。
【請求項５】
請求項４、記載の吊り掛具に、接触障害となる揺動阻止物に、ピンを使用し、固定手段として、掛部から吊り下げ部材に設けられた、ピン挿入孔にて固定する吊り掛具。または、請求項１、２、３、記載の吊り掛具。
【発明の詳細な説明】
【発明の詳細な説明】
【技術分野】
【０００１】  本発明は、物干し具の竿受け部に、前後に双方吊り掛け、風などによる揺れを軽減、防止する、下部に竿かけを有する吊り掛具に関する。
【背景技術】
【０００２】  従来、物干し具を使用時、竿掛け部を増やす、または降下させ使用する為に、Ｓ字状フックやロープなどを使用していた。
【発明が解決しようとする課題】
【０００３】  これに次のような欠点があつた、Ｓ字状フックを使用した場合、風などによる障害、揺れ、フックの移動、物干し竿からの脱落、またＳ字状フックは、固定されていない為  物干し竿の掛け外し時、フックが、移動、回転する為、作業が、めんどうである。またＳ字状フックを吊り掛けられた物干し竿は、かけ外しができなくなる、困難である。このような、問題を解決しようとするのを目的とするものである。
【課題を解決するための手段】
【０００４】    双方に掛部を有し、下部、支軸にて係合される、吊り掛具に於て、上部に位置する掛部の下面は竿受け部に、上面は物干し竿に適応する形状を有し、吊り下げられる物干し具の竿受け部、前後に双方吊り掛け、掛部上面に、物干し竿をかけて装着する、ため、掛部上面から、干し竿のかけ、外しを可能とする、下部に竿かけを左右両端に双方有する吊り掛具を提案する。
【０００５】    請求項１、記載の吊り掛具に、掛部上面、外側に、物干し竿の離脱を防止する、突起物を設けた吊り掛具を提案する。
【０００６】    請求項１、２、記載の吊り掛具に、上部に位置する掛部の片方を、フック状の掛部を用い、竿受け部にかけられた、物干し竿に吊り掛け、もう一方を竿受け部にかけ掛部上面に物干し竿をかけて装着し使用する。吊り掛具を提案する。
【０００７】    双方に掛部を有し、下部、支軸にて係合される、吊り掛具に於て、吊り下げられる物干し具の支持部が、吊り掛具左右の吊り下げ部材との間に位置し、支持部に対し、揺れにより接触障害となる揺動阻止物を、吊り下げ部材に固定することにより、風などによる前後の揺れを防止する吊り掛具。または、請求項１、２、３、記載の吊り掛具を提案する。
【０００８】    請求項４、記載の吊り掛具に、接触障害となる揺動阻止物に、ピンを使用し、固定手段として、掛部から吊り下げ部材に設けられた、ピン挿入孔にて固定する吊り掛具。または、請求項１、２、３、記載の吊り掛具を提案する。
【発明の実施形態】
【０００９】  以上の本発明の実施形態について以下、図を参照して説明する。図、１、は、本発明の全体図である。上部から、掛部、揺動阻止ピンの挿入孔を設けた、吊り下げ部材  双方の吊り下げ部材を係合する支軸、下部に竿掛部を有し構成される。材質は、プラスチック、ポリプロピレン等の合成樹脂、また、金属などでもよい。ピンについては金属等、形状は限定するものではない。
【００１０】  図、１、２、に示す、掛部  １ａ、１ｂは、前後双方に有し、掛部の下面は、竿受け部に、上面は、物干し竿にそれぞれ適応する形状となっており吊り下げられる物干し具の支持部  Ｂ  へ吊り掛具の左右の吊り下げ部材２、３との間に、位置するように、支持部からなる竿受け部  Ｃ  に、前後に吊り掛け、掛部上面に物干し竿を双方かけ装着する、図、２、は、装着した側面図である、掛部上面から、物干し竿の、掛外しを可能とする。
【００１１】  また、前後の揺れがおこると掛部  １ａ、１ｂ  上面にかけられた物干し竿の抵抗がある為  前後の揺れを軽減する。
【００１２】  図、１、に示す、竿掛部、８、９は、フック状の形状であり、左右両端に双方設ける。横揺れが起こると、片方の竿掛部が浮き上がり、物干し竿と接触する為、横揺れを軽減、防止する。このものを支軸、下部に設ける。以上請求項１、記載のものである。
【００１３】  図、１、２、に示す、掛部  １ａ、１ｂ  上面に設けた突起物  １ｃ  は、掛部の外側に設ける。前後の強風を受けた場合、片方の掛部、及び掛部上面にかけられた物干し竿が、浮き上がる為、浮き上がりによる物干し竿の離脱を防ぐ為のものである。請求項２、記載のものである。
【００１４】  図、２、に示す、掛部、１ａ  の形状をフック状の状の掛部を用い、竿受け部にかけられた  物干し竿  Ａ  に吊り掛け、もう一方の掛部、１ｂ  を竿受け部Ｃ  に吊り掛け、掛部上面に物干し竿をかけて装着する。一方の物干し竿の、掛け外しを可能とするものである。請求項３、記載のものである。
【００１５】  図、１、に示す、吊り下げ部材、２、３、４、５、に、掛部から吊り下げ部材へ、揺動阻止ピンの挿入孔、２ａ、３ａ、４ａ、５ａ、を設る。ピンの挿入孔は、左右同位置に、設けられる。吊り下げ部材、２、３、及び  ４、５、との間に支持部、Ｂ、が位置する。
【００１６】  図、３、に示す、揺動阻止ピン、６、は、支持部、Ｂ、下部側近に位置するピン挿入孔、を使用し、５ａ、から、４ａ、に装着後挿入する。もう一方の、３ａ、２ａ、も同様に、揺動阻止ピン、６、を挿入する。図、２、は、装着しピンが挿入された側面図である。ピン挿入孔が、複数設けられて要るのは、さまざまな形状の物干し具に適応する為である。
【００１７】  また  図、１、に示す、吊り下げ部材、３、４、を省略し二点にて双方に、吊り下げられる吊り掛具に於ては、図、４、に示す、ピン挿入孔、５ａ、同面横に同様のピン挿入孔、５ｂ、を設け、支持部、Ｂ、下部側近に位置するピン挿入孔を使用し、５ｂ、から、５ａ、に装着後、揺動阻止ピン、６、を挿入しピンが保持される。２ｂ、２ａ、も同様にピンが保持される。以上、請求項、４、５、記載のものである。
【００１８】  図、１、に示す、掛部、１ａ  吊り下げ部材、２、３、竿掛部、８、９、は、一体形となっており、もう一方の掛部  １ｂ  吊り下げ部材、４、５、は、一体形となっている。支軸、７、にて係合する。双方フリー状に係合されるまたは、装着後チョウ止めネジ等にて固定してもよい。  以上記載の吊り掛具を、左右両端に位置する、物干し具の竿受け部にそれぞれ取付けけ使用する。
【００１９】  以上、本発明の実施形態について説明したが、要旨の範囲内に於て、変形実施可能である。例えば、請求項３、記載の固定手段として、吊り下げ部材にスライド溝を設け、スライド溝にて固定される止め具に、揺動阻止ピンを設ける。など
【発明の効果】
【００２０】  このようにすれば、掛部の上面から物干し竿のかけ、外しが可能となり安定する。また、前後の揺れがおこると掛部上面にかけられた、物干し竿の抵抗がある為、前後の揺れを軽減する。
【００２１】  また、下部に竿かけ部を、左右両端に双方に有することにより、横揺れを軽減、防止し、横揺れから起こる移動を、吊り下げられる物干し具の支持部が、吊り掛具左右の、吊り下げ部材との間に位置し装着することにより、防止する。
【００２２】  また、吊り下げ部材に、挿入された揺動阻止ピンと、支持部との接触により、風などによる前後の揺れを防止する。
【図面の簡単な説明】
【図１】全体図
【図２】側面図
【図３】ピン挿入孔、平面図
【図４】二点にて吊り下げる、吊り掛け具、ピン挿入孔、平面図
【符号の説明】
Ａ−  物干し竿
Ｂ−  支持部
Ｃ−  竿受け
１ａ、１ｂ−  掛部
１ｃ−  突起物
２、３、４、５−  吊り下げ部材
２ａ、３ａ、４ａ、５ａ−  ピン挿入孔
２ｂ、５ｂ−  ピン挿入孔
６−  揺動阻止ピン
７−  支軸
８、９−  竿掛部
【図１】
2005028075.tif 000003
【図２】
2005028075.tif 000004
【図３】
2005028075.tif 000005
【図４】
2005028075.tif 000006
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
下部にフック状の掛部を左右に有する吊り掛具に於て、上部に位置する吊り掛部が前後に双方有し下部、支軸にて係合される本発明を、物干し台の竿受け部に前後に吊り下げ装着する、このものを左右に取り付け下部のフック状の竿掛部に物干し竿をかけて使用する。吊り掛具。
【請求項２】
吊り掛具に於て、上部に位置する吊り掛部下面は竿受け部に、上面は物干し竿に適応する形状を有し吊り掛部上面から干し竿の掛け外しを可能とする吊り掛具。または請求項、１、記載の吊り掛具。
【請求項３】
請求項１、記載の吊り掛具に、吊り掛部上面外側に物干し竿の離脱を防止する、突起物を設けた吊り掛具。または請求項２、記載の吊り掛具。
【請求項４】
請求項１、記載の吊り掛具の吊り下げ部材及び対面する部材にピン挿入孔を設け、物干し台の支持部に対しピンの使用にて、風などによる前後の揺れを防止する吊り掛具。または請求項、２、３記載の吊り掛具。
【手続補正２】
【補正対象書類名】明細書
【補正対象項目名】全文
【補正方法】変更
【補正の内容】
【発明の詳細な説明】
【技術分野】
【０００１】  本発明は、物干し台の竿受け部に前後に双方吊り掛け、風などによる揺れを軽減、防止する、下部に竿かけ部を有する吊り掛具に関する。
【背景技術】
【０００２】  従来、物干し台を使用時、竿掛け部を増やす、または降下させ使用する為にＳ字状フックやロープなどを使用していた。
【発明の開示】
【発明が解決しようとする課題】
【０００３】  これに次のような欠点があつた、Ｓ字状フックを使用した場合、風などによる障害、揺れ、フックの移動、物干し竿からの脱落、またＳ字状フックは、固定されていないため物干し竿の掛け外し時、フックが、移動、回転する為、作業がめんどうである。またＳ字状フックを吊り掛けられた物干し竿は、かけ外しができなくなる、困難である。このような、問題を解決しようとするのを目的とするものである。
【課題を解決するための手段】
【０００４】  下部にフック状の掛部を左右に有する吊り掛具に於て、上部に位置する吊り掛部が前後に双方有し下部、支軸にて係合される本発明を、物干し台の竿受け部に前後に吊り下げ装着する、このものを左右に取り付け下部のフック状の竿掛部に物干し竿をかけて使用する。吊り掛具を提案する。【０００５】  吊り掛具に於て、上部に位置する吊り掛部下面は竿受け部に、上面は物干し竿に適応する形状を有し吊り掛部上面から干し竿の掛け外しを可能とする吊り掛具。または請求項、１、記載の吊り掛具を提案する。【０００６】  請求項１、記載の吊り掛具に、吊り掛部上面外側に物干し竿の離脱を防止する、突起物を設けた吊り掛具。または請求項２、記載の吊り掛具を提案する。【０００７】  請求項１、記載の吊り掛具の吊り下げ部材及び対面する部材にピン挿入孔を設け、物干し台の支持部に対しピンの使用にて、風などによる前後の揺れを防止する吊り掛具。または請求項、２、３記載の吊り掛具を提案する。
【発明の効果】
【０００８】  このようにすれば、ある程度の一定幅に取り付けが可能となる。また下部に竿掛部を、左右両端に双方に有することにより、横揺れが起こると片方の竿掛部が浮き上がり、物干し竿と接触するため横揺れを軽減、防止する。請求項１、記載のものである【０００９】  また  吊り掛部の下面は竿受け部に、上面は物干し竿にそれぞれ適応する形状を有することにより、掛部上面から物于し竿の掛外しが可能となる。請求項２、記載のものである【００１０】  また  前後の強風を受けた場合、浮き上がりによる物干し竿の離脱を防ぐことができる。請求項３、記載のものである【００１１】  また、吊り下げ部材に、挿入された揺動阻止ピンと、物干し台の支持部との接触により、風などによる前後の揺れを完全に防止する。請求項４、記載のものである
【発明を実施するための最良の形態】
【００１２】  以上の本発明の実施形態について以下、図を参照して説明する。図、１は本発明の全体図である。上部から、吊り掛部、揺動阻止ピンの挿入孔を設けた吊り下げ部材、双方の吊り下げ部材を係合する支軸、下部に竿掛部を有し構成される。材質は、プラスチック、ポリプロピレン等の合成樹脂、また金属などでもよい。ピンについては金属等、形状は限定するものではない。【００１３】  図、１に示す、吊り掛部１ａ、吊り下げ部材２、３、竿掛部８、９は一体形となっており、もう一方の吊り掛部１ｂ、吊り下げ部材４、５は一体形となっている、また二点にて双方に吊り下げられる吊り掛具に於ては、ピン挿入孔下部の吊り下げ部材３、４を省略する、支軸７にて係合されるフリー状に係合する、または装着後チョウ止めネジ等にて固定してもよい。以上記載の吊り掛具を左右の物干し台の竿受け部にそれぞれ取り付け、下部の竿掛部に物干し竿をかけ使用する。図、２は取り付けられた側面図である、請求項１、記載のものである。【００１４】  図、１、２に示す  吊り掛部１ａ、１ｂは吊り掛部の下面は竿受け部に、上面は物干し竿にそれぞれ適応する形状となっており掛部上面から、物干し竿の掛外しを可能とする。請求項２、記載のものである。【００１５】  図、１、２に示す、吊り掛部１ａ、１ｂ上面に設けた突起物１ｃは、吊り掛部の外側に設ける。前後の強風を受けた場合、片方の吊り掛部及び吊り掛部上面にかけられた物干し竿が浮き上がる為、浮き上がりによる物干し竿の離脱を防ぐ為のものである。請求項３、記載のものである。【００１６】  図、１に示す  吊り下げ部材２、３、４、５に揺動阻止ピンの挿入孔２ａ、３ａ、４ａ、５ａを設る。ピンの挿入孔は、左右同位置に設けられる。吊り下げ部材２、３及び４、、５との間に支持部、Ｂが位置する。【００１７】  図、３に示す、揺動阻止ピン６は支持部、Ｂ下部側近に位置するピン挿入孔を使用し５ａから４ａに装着後挿入する。もう一方の３ａ、２ａも同様に、揺動阻止ピン６を挿入する。図、２は、装着しピンが挿入された側面図である。ピン挿入孔が複数設けられて要るのはさまざまな形状の物干し台に適合する為である。【００１８】  また  図、１に示す  吊り下げ部材３、４を省略し二点にて双方に、吊り下げられる吊り掛具に於ては、前記同様図３に示す、５ａから４ａに装着後ピンを挿入する。この場合、図、４に示す、ピン挿入孔５ａ同面横に同様のピン挿入孔５ｂを設け、支持部Ｂ、下部側近に位置するピン挿入孔を使用し、５ｂから５ａに装着後、揺動阻止ピン６を挿入しピンが保持される、２ｂ、２ａも同様にピンが保持される。これは、よりピンが安定し保持するためのものである。以上請求項４記載のものである。
【図面の簡単な説明】
【００１９】
【図１】    全体図
【図２】    側面図
【図３】    ピン挿入孔、平面図
【図４】    二点にて吊り下げる吊り掛け具ピン挿入孔、平面図
【符号の説明】
【００２０】    Ａ−  物干し竿
Ｂ−  物干し台、支持部
Ｃ−  物干し台、竿受け
１ａ、１ｂ−  吊り掛部
１ｃ−  突起物
２、３、４、５−  吊り下げ部材
２ａ、３ａ、４ａ、５ａ−  ピン挿入孔
２ｂ、５ｂ−  ピン挿入孔
６−  揺動阻止ピン
７−  支軸
８、９−  竿掛部